(57)【要約】【課題】専用センサを設けることなく、表示手段における表示画像を環境光に応じて良好に調整すること。【解決手段】ユーザがファインダ部２０に対して接眼状態である場合に、ＬＣＤ３０を消灯して消費電力の低減を図るために接眼検知ユニット２２が設けられている。そして接眼検知ユニット２２における受光部２２ｂは、投光部２２ａによって投光される光の反射光成分、及び、環境光成分を検知するように構成されており、デジタルカメラ１は、受光部２２ｂが環境光成分を受光した場合、その環境光成分に基づいてＬＣＤ３０の表示状態を制御するように構成される。【選択図】        図２
2004186721.tif 000002
【特許請求の範囲】
【請求項１】
接眼状態で被写体像を視認可能なファインダと、非接眼状態で画像を視認可能な画像表示手段とを備えたカメラであって、
前記ファインダに対する接眼状態を検知するために、所定の光を投光する投光手段と、
前記投光手段によって投光される光の反射光成分、及び、環境光成分を検知する受光手段と、
前記受光手段が前記環境光成分を受光した場合に、前記環境光成分に基づいて前記画像表示手段の表示状態を制御する制御手段と、
を備えるカメラ。
【請求項２】
請求項１に記載のカメラにおいて、
前記制御手段は、前記受光手段が前記環境光成分を受光した場合、前記環境光成分の輝度レベルに応じて前記画像表示手段の明るさを調整することを特徴とするカメラ。
【請求項３】
請求項１又は２に記載のカメラにおいて、
前記制御手段は、前記受光手段が前記反射光成分を受光した場合に、前記画像表示手段を非表示状態にすることを特徴とするカメラ。
【請求項４】
請求項１乃至３のいずれかに記載のカメラにおいて、
前記ファインダは電子画像を表示する電子ビューファインダとして構成され、
前記制御手段は、前記受光手段が前記環境光を受光した場合、前記電子ビューファインダを非表示状態にすることを特徴とするカメラ。
【請求項５】
請求項１乃至４のいずれかに記載のカメラにおいて、
前記制御手段は、前記ファインダに対する接眼状態を検知する際には、前記投光手段が所定周波数の光を発光するように制御し、前記受光手段において前記所定周波数の光を受光した場合に、前記反射光成分の受光を検知することを特徴とするカメラ。
【発明の詳細な説明】
【０００１】
【発明の属する技術分野】
本発明は、液晶ディスプレイ等の表示手段に対して画像を表示することの可能なカメラに関する。
【０００２】
【従来の技術】
デジタルカメラ等のカメラには、撮影した画像を即時表示するために、あるいは、各種撮影情報やデータ、メニュー等を表示するために液晶ディスプレイ等の表示手段を備えるものも多く存在する。この場合、カメラの周囲の状況や配置の状況によっては環境光の影響を受け、表示手段に表示される画像の見やすさが異なったり、色味が異なって見えてしまい、表示画像の視認性が低下するという問題があった。
【０００３】
このため、例えば特許文献１に開示されるように、環境光に応じて画像表示の際の輝度や色合いを制御することが提案されている。特許文献１の技術では、環境光の検出は、撮影用のＣＣＤ撮像素子若しくはカメラの表面に別途設けられた専用センサによって行われる。
【０００４】
【特許文献１】
特開２００１−３０９２１１号公報
【０００５】
【発明が解決しようとする課題】
しかしながら、液晶ディスプレイ等の表示手段は一般にカメラの背面側に設けられることが多く、ＣＣＤ撮像素子でカメラ前面側に設けられる撮影レンズを介して環境光を検出するように構成すると、カメラ背面側に環境光の光源がある場合には正確に環境光成分を検出することができず、環境光の影響に対して正確な表示画像の調整を行うことが困難であった。
【０００６】
一方、カメラの背面側に環境光を検出するための専用センサを設ければ、背面側からの環境光を良好に検出することが可能になるが、その場合、画像の表示状態を調整するためにセンサを別途設ける必要があり、高コスト化を招き、同時にカメラの大型化を招くことになる。
【０００７】
そこで、本発明は、上記課題に鑑みてなされたものであって、専用センサを設けることなく、表示手段における表示画像を環境光に応じて良好に調整することの可能なカメラを提供することを目的とする。
【０００８】
【課題を解決するための手段】
上記目的を達成するために、請求項１に記載の発明は、接眼状態で被写体像を視認可能なファインダと、非接眼状態で画像を視認可能な画像表示手段とを備えたカメラであって、前記ファインダに対する接眼状態を検知するために、所定の光を投光する投光手段と、前記投光手段によって投光される光の反射光成分、及び、環境光成分を検知する受光手段と、前記受光手段が前記環境光成分を受光した場合に、前記環境光成分に基づいて前記画像表示手段の表示状態を制御する制御手段と、を備えて構成される。
【０００９】
請求項２に記載の発明は、請求項１に記載のカメラにおいて、前記制御手段は、前記受光手段が前記環境光成分を受光した場合、前記環境光成分の輝度レベルに応じて前記画像表示手段の明るさを調整することを特徴としている。
【００１０】
請求項３に記載の発明は、請求項１又は２に記載のカメラにおいて、前記制御手段は、前記受光手段が前記反射光成分を受光した場合に、前記画像表示手段を非表示状態にすることを特徴としている。
【００１１】
請求項４に記載の発明は、請求項１乃至３のいずれかに記載のカメラにおいて、前記ファインダは電子画像を表示する電子ビューファインダとして構成され、前記制御手段は、前記受光手段が前記環境光を受光した場合、前記電子ビューファインダを非表示状態にすることを特徴としている。
【００１２】
請求項５に記載の発明は、請求項１乃至４のいずれかに記載のカメラにおいて、前記制御手段は、前記ファインダに対する接眼状態を検知する際には、前記投光手段が所定周波数の光を発光するように制御し、前記受光手段において前記所定周波数の光を受光した場合に、前記反射光成分の受光を検知することを特徴としている。
【００１３】
【発明の実施の形態】
以下、本発明の実施の形態について図面を参照しつつ詳細に説明する。
【００１４】
図１は、本発明の実施の形態にかかるデジタルカメラ（カメラ）１を背面側からみた斜視図である。デジタルカメラ１の背面側左方上部には、撮影時等にユーザが接眼状態で被写体像等を視認するためのファインダ部２０が設けられており、その下部にはユーザが非接眼状態で画像を視認することの可能な液晶ディスプレイ（以下、単にＬＣＤという。）３０が設けられる。
【００１５】
ファインダ部２０は、画像を表示するための電子ビューファインダ（以下、単にＥＶＦという。）２１と、ユーザの接眼状態を検知するための接眼検知ユニット（アイセンサ）２２と、ユーザが接眼状態であるときに環境光がファインダ内に入射することを防ぐための環境光遮蔽フード（アイキャップ）２３とを備えて構成される。
【００１６】
一方、デジタルカメラ１の前面側には、被写体像をカメラ内部に設けられたＣＣＤ撮像素子１１（図２参照）に導くための撮影レンズ１０が設けられており、ＣＣＤ撮像素子１１にて光電変換して得られる画像をＥＶＦ２１及びＬＣＤ３０において表示することが可能なように構成されている。
【００１７】
また、デジタルカメラ１の背面側右方には、デジタルカメラ１に対してユーザが各種設定操作等を行うための操作部材４０が複数箇所に設けられている。さらに、デジタルカメラ１の側面には、メモリカード等の記録媒体５１を装着するためのスロットが設けられており、そのスロットが蓋５０によって保護される構造となっている。
【００１８】
図２は、上記のようなデジタルカメラ１の内部構成を示すブロック図である。被写体からの光は撮影レンズ１０を介してＣＣＤ撮像素子１１に導かれる。ＣＣＤ撮像素子１１は複数の画素が２次元的に配列され、各画素において光電変換を行って出力する。これら画素信号は信号処理回路１２においてノイズ除去やゲイン調整され、さらにＡ／Ｄ変換が行われて、画像データに変換される。ＣＣＤ撮像素子１１と信号処理回路１２とはタイミングジェネレータ１３によって制御される。
【００１９】
また、撮影レンズ１０は駆動ユニット１４によって制御され、例えば焦点距離調整（ズーミング）やフォーカス調整等が行われる。また、絞り駆動部材により絞り調整も行われる。
【００２０】
接眼検知ユニット２２は、投光部２２ａ、受光部２２ｂ、及び光学フィルタ２２ｃを備えて構成され、図１に示すようにＥＶＦ２１の横側に設置される。投光部２２ａは不可視光である赤外光を発生させるＬＥＤ等の光源を内部に備え、全体制御部６０から発光指令があった場合、所定周波数で赤外光を点滅発光させる。受光部２２ｂはフォトダイオード等の受光素子を備えて構成され、受光光軸は投光部２２ａの投光光軸とほぼ並行になるように設置される。光学フィルタ２２ｃは受光部２２ｂの受光光軸上に設置され、外部から入射する光のうち、赤外光を透過し、可視光を遮光する。このため、受光部２２ｂにおいては赤外光成分のみが検出されるように構成されている。
【００２１】
接眼検知ユニット２２がユーザの接眼状態を検知する場合において、現にユーザがファインダ部２０を覗いていると、投光部２２ａから出射する所定周波数の赤外光はユーザの眼球周辺で反射し、その反射光成分が受光部２２ｂに入射する。そのため、受光部２２ｂにおいては所定周波数で変動する反射光成分が検出されることになる。
【００２２】
これに対し、ユーザがファインダ部２０を覗いていない状態では、投光部２２ａから出射する赤外光は反射されることがないので、受光部２２ｂにおいて反射光成分が検出されることはない。ところが、環境光に含まれる赤外光成分は受光部２２ｂに入射し、環境光に応じた赤外光成分が受光部２２ｂにおいて検出されることになる。
【００２３】
一般に、ＬＣＤ３０等で表示される画像の視認性に影響を与えるのは、可視光であるが、太陽等の一般光源について考えると、環境光に含まれる赤外光成分と可視光成分との間には一定の相関関係があるため、赤外光の輝度レベル（光量）から可視光の輝度レベル（光量）を求めることが可能である。したがって、本実施形態では、ＬＣＤ３０等の表示手段と同一面側に配置された接眼検知ユニット２２を使って環境光の状態を検出するように構成される。
【００２４】
受光部２２ｂにおいて検出される赤外光成分は光電変換されて電気信号としてアナログ信号処理回路７０に与えられる。アナログ信号処理回路７０には、ユーザがファインダ部２０に対して接眼状態であるか否かを検出するための接眼検知機能と、環境光を測光するための測光機能との２つの機能が設けられており、全体制御部６０によって択一的な機能選択が行われて、受光部２２ｂから得られる電気信号の信号処理を行う。
【００２５】
図３はアナログ信号処理回路７０の詳細構成を示す回路図である。なお図３において示される各部は夫々独立した回路として構成することも可能であり、一方、その少なくとも一部が全体制御部６０等によって実行されるプログラムによって達成される機能として構成されることもできる。また、各部は少なくともその一部が共通する回路により構成されることができる。
【００２６】
図３に示すように、アナログ信号処理回路７０は、スイッチＳＷ１及びＳＷ２を共に開状態（オフ）又は閉状態（オン）に切り替える第１のスイッチ群７１と、スイッチＳＷ３及びＳＷ４を共に閉状態（オン）又は開状態（オフ）に切り替える第２のスイッチ群７２と、第１のスイッチ群７１に接続された接眼検知回路８０と、第２のスイッチ群に接続された測光回路９０とを備えて構成され、第１のスイッチ群７１及び第２のスイッチ群７２はそれぞれ受光部２２ｂに設けられるフォトダイオード２９のアノード端子及びカソード端子に接続される。
【００２７】
各スイッチ群７１，７２は全体制御部６０の指令によってオンオフ状態を切り替えるように構成されており、第１のスイッチ群７１のスイッチＳＷ１，ＳＷ２がオンのときには、第２のスイッチ群７２のスイッチＳＷ３，ＳＷ４はオフとなる。また逆に、第２のスイッチ群７２のスイッチＳＷ３，ＳＷ４がオンのときには、第１のスイッチ群７１のスイッチＳＷ１，ＳＷ２はオフとなる。このような切替動作により、受光部２２ｂにて検出される赤外光の検出結果を、接眼検知回路８０又は測光回路９０に対して択一的に与えることが可能である。
【００２８】
接眼検知回路８０は、ゲイン設定回路８１、カップリングコンデンサ８２、バンドパスフィルタ（ＢＰＳ）回路８３、整流回路８４、検波用充放電回路８５、及び、ヒステリシスコンパレータ８６を備えて構成される。接眼検知ユニット２２の投光部２２ａが所定周波数で光源を点滅発光させると、反射物体がある場合には上記周波数でフォトダイオード２９に電流が流れる。この電流をゲイン設定回路８１に与え、カップリングコンデンサ８２、ＢＰＦ回路８３、整流回路８４、及び検波用充放電回路８５を介して電圧に変換する。この電圧はコンパレータ８６により、所定電圧と比較され、全体制御部６０に出力される。このため、受光部２２ｂが投光部２２ａからの光の反射光成分を受光した場合には、接眼検知回路８０からは所定周波数の信号が全体制御部６０に与えられることになる。これに対し、受光部２２ｂが環境光の赤外光成分のみを受光する場合には、接眼検知回路８０において微弱な信号成分が除去されることとなり、全体制御部６０に有効な信号成分は入力しないことになる。
【００２９】
また、測光回路９０は、オペアンプ９１，９３と、ダイオード９２とを備え、ダイオード９２はフォトダイオード２９に流れる電流を対数圧縮するためにオペアンプ９１の出力端子と反転入力端子との間に介挿される。また、オペアンプ９３は出力端子と反転入力とが短絡され、バッファ回路として機能する。このように構成された測光回路９０では、フォトダイオード２９に流れる電流は対数圧縮された後、アナログ電圧に変換される。そしてそのアナログ電圧が全体制御部６０に出力されることになる。
【００３０】
図２に戻り、デジタルカメラ１の内部には、ＥＶＦ２１に対応してＥＶＦ用バックライト２５が設けられ、ＥＶＦ２１によって画像表示を行う際にはＥＶＦ用バックライト２５が点灯するように構成される。また同様に、ＬＣＤ３０に対応してＬＣＤ用バックライト３５が設けられており、ＬＣＤ３０によって画像表示を行う際にはＬＣＤ用バックライト３５が点灯する。ＥＶＦ用バックライト２５及びＬＣＤ用バックライト３５は所定周波数で高速点滅することにより、ＥＶＦ２１及びＬＣＤ３０のそれぞれで表示される画像の明るさ（すなわち、表示輝度）を一定の状態に保つことが可能である。特に、ＬＣＤ用バックライト３５は所定周波数で点灯する際のオンデューティが全体制御部６０からの指令に応じて変化するように構成されている。
【００３１】
また、デジタルカメラ１の表面側に設けられた操作部材４０は全体制御部６０に接続され、ユーザによって入力される指示は全体制御部６０に与えられるようになっている。さらに、カメラ側面に装着される記録媒体５１も全体制御部６０に接続され、記録媒体５１に対する画像データの書き込みや記録媒体５１からの画像データの読み出しは全体制御部６０の制御によって行われる。
【００３２】
全体制御部６０は、メモリ及びＣＰＵを備え、デジタルカメラ１の各部を統括的に制御するように構成される。例えば、ＣＰＵが所定のプログラムを実行することにより、全体制御部６０は、図２に示すように、画像処理部６１、撮影制御部６２、検知機能切替部６３、信号評価部６４及び表示制御部６５として機能する。
【００３３】
画像処理部６１は、ＣＣＤ撮像素子１１によって撮影された画像データを入力し、所定の画像処理を施し、ＥＶＦ２１やＬＣＤ３０に表示するための画像を生成したり、記録媒体５１に記録するための画像データを生成するように構成される。画像処理部６１において生成される表示用の画像は表示制御部６５に与えられ、記録用の画像は記録媒体５１に出力されて記録される。
【００３４】
撮影制御部６２は、シャッタボタンが押下され、ユーザから撮影指示が与えられた場合に、タイミングジェネレータ１３に対して適正露出の画像を撮影するための制御指令を送出したり、駆動ユニット１４に対して撮影レンズ１０を駆動してオートフォーカス制御等を行うための制御指令を送出するように構成される。
【００３５】
また、撮影制御部６２は、シャッタボタンが押下される前の撮影待機状態においては、ＥＶＦ２１又はＬＣＤ３０に対して被写体のリアルタイムな画像を表示するためのライブビュー画像を撮影するための制御を繰り返し実行するように構成される。これに伴い、画像処理部６１は撮影待機状態においてＣＣＤ撮像素子１１から逐次得られる画像データからライブビュー画像を生成し、そのライブビュー画像を表示制御部６５に与える。
【００３６】
検知機能切替部６３は、接眼検知ユニット２２及びアナログ信号処理回路７０による検知機能を切り替えるためのものである。例えば、ユーザの接眼状態を検知する場合には、検知機能切替部６３は接眼検知ユニット２２の投光部２２ａに対し、所定周波数で光源を点滅発光させるための指令を送出するとともに、アナログ信号処理回路７０における第１のスイッチ群７１をオンに、第２のスイッチ群７２をオフに切り替える。また、環境光（より具体的には環境光に含まれる赤外光成分）の輝度レベルを検出する場合には、検知機能切替部６３は、接眼検知ユニット２２の投光部２２ａに対しては特に発光指令を送出することなく、アナログ信号処理回路７０における第２のスイッチ群７２をオンに、第１のスイッチ群７１をオフに切り替える。
【００３７】
信号評価部６４は、アナログ信号処理回路７０から入力するアナログ信号を評価し、その評価結果を表示制御部６５に与えるように構成される。
【００３８】
検知機能切替部６３によってユーザの接眼状態を検知する機能が選択されている場合、信号評価部６４は、アナログ信号処理回路７０から入力するアナログ信号が投光部２２ａの点滅周波数に一致する変動成分を有しているか否かを検証し、アナログ信号の周波数が点滅周波数にほぼ一致する場合にはユーザがファインダ部２０に対して接眼状態であると判定する。例えば、図４に示すようにユーザがファインダ部２０に対して接眼状態にある場合には、受光部２２ｂにおいて所定周波数の反射光成分が受光され、その結果、信号評価部６４において、点滅周波数に基づいて変動するアナログ信号が検出され、ユーザが接眼状態にあることが判明する。
【００３９】
これに対し、入力するアナログ信号に点滅周波数にほぼ一致する信号成分が含まれない場合には、ユーザがファインダ部２０に対して非接眼状態であると判定する。例えば、図５に示すようにユーザがファインダ部２０に対して非接眼状態にある場合には、受光部２２ｂでは、投光部２２ａが出射した所定周波数の光の反射光成分が受光されず、その結果、アナログ信号処理回路７０から信号評価部６４に入力するアナログ信号からは、所定周波数の信号成分が検出されないので、ユーザが非接眼状態にあることが判明する。
【００４０】
次に、検知機能切替部６３によって環境光を測光するための測光機能が選択されている場合、信号評価部６４は、アナログ信号処理回路７０から入力するアナログ信号（受光部２２ｂにおいて受光される赤外光成分の輝度レベルに応じた電圧）から一定の相関関係に基づいて環境光（特に可視光成分）の輝度レベルを求める。例えば、図６に示すようにユーザがファインダ部２０に対して非接眼状態にあり、ある程度離れた距離からＬＣＤ３０を視認している場合には、受光部２２ｂにおいて環境光に含まれる赤外光成分が受光され、その結果、信号評価部６４において、その環境光の輝度レベルが求められる。信号評価部６４において求められる環境光の輝度レベルは、デジタルカメラ１が設置される周辺の明るさに応じて変動し、特に、デジタルカメラ１の背面側に環境光の光源がある場合には、信号評価部６４において求められる環境光の輝度レベルは大きくなる。このようにして求められる環境光の輝度レベルも表示制御部６５に与えられる。
【００４１】
表示制御部６５は、ＥＶＦ２１及びＬＣＤ３０にて表示すべき画像をＥＶＦ２１及びＬＣＤ３０に与えるとともに、各バックライト２５，３５の点灯状態を制御するように構成される。例えば、ＣＣＤ撮像素子１１において得られた画像を表示する際には、画像処理部６１から得られる画像をＥＶＦ２１又はＬＣＤ３０に出力し、バックライト２５又は３５を点灯させる。また、記録媒体５１に記録された画像を再生表示する際には、記録媒体５１から再生対象の画像を取得し、それをＥＶＦ２１又はＬＣＤ３０に出力してバックライト２５又は３５を点灯させる。さらに、ユーザがデジタルカメラ１に対する設定操作等を行うための操作案内画面を表示する際には、表示制御部６５においてメニュー画面等の操作案内画面を作成し、それをＥＶＦ２１又はＬＣＤ３０に出力してバックライト２５又は３５を点灯させる。
【００４２】
また、表示制御部６５は、信号評価部６４の評価結果に基づいてＥＶＦ２１及びＬＣＤ３０における画像の表示状態を制御するように構成される。具体的には、接眼検知機能によってユーザがファインダ部２０に対して接眼状態であることが検知された場合には、ＬＣＤ３０にて画像を表示する必要はないので、表示制御部６５はＬＣＤ３０及びＬＣＤ用バックライト３５の機能をオフ状態に切り替え、ＥＶＦ２１及びＥＶＦ用バックライト２５を用いて画像表示を行う。
【００４３】
また、ユーザがファインダ部２０に対して非接眼状態であることが検知された場合には、ＥＶＦ２１にて画像を表示する必要はないので、表示制御部６５はＥＶＦ２１及びＥＶＦ用バックライト２５の機能をオフ状態に切り替え、ＬＣＤ３０及びＬＣＤ用バックライト３５を用いて画像表示を行う。さらにこのとき、表示制御部６５は、環境光を測光するための測光機能によって得られる環境光の輝度レベルに基づいて、ＬＣＤ用バックライト２５の点灯制御を行う。すなわち、表示制御部６５は、環境光を測光するための測光機能によって得られる環境光の輝度レベルに基づいてＬＣＤ用バックライト３５を所定周波数で点灯させる際のオンデューティを決定し、その決定結果に基づいてＬＣＤ用バックライト３５の点灯制御を行う。
【００４４】
例えば、環境光の輝度レベルが大きくなるに従って、ＬＣＤ用バックライト３５のオンディユーティを大きくし、一定周期においてＬＣＤ用バックライト３５が点灯する時間を長くする。これにより、ＬＣＤ３０にて表示される画像は明るくなり、環境光の影響によってＬＣＤ３０に表示される画像の視認性が低下することを抑制することが可能になる。また逆に、環境光の輝度レベルが小さくなるに従って、ＬＣＤ用バックライト３５のオンディユーティを小さくし、一定周期においてＬＣＤ用バックライト３５が点灯する時間を短くする。これにより、ＬＣＤ３０にて表示される画像は暗くなる。
【００４５】
次に、上記のような構成のデジタルカメラ１において、実際にＥＶＦ２１又はＬＣＤ３０において画像表示を行う場合の処理シーケンスについて説明する。図７はデジタルカメラ１における表示制御のための処理シーケンスを示すフローチャートである。
【００４６】
図７に示すように、表示制御が開始されると、まず、検知機能切替部６３が機能し、アナログ信号処理回路７０において接眼検知回路８０が機能するように第１及び第２のスイッチ群７１，７２を切り替える（ステップＳ１０）。そして検知機能切替部６３は、接眼検知ユニット２２の投光部２２ａに対し、所定周波数で光源を点滅点灯させるための指令を送出する。これにより、接眼検知処理が実行されることになる（ステップＳ１１）。
【００４７】
次に信号評価部６４が機能し、アナログ信号処理回路７０から得られるアナログ信号を評価することにより、ユーザがファインダ部２０に対して接眼状態であるか否かが評価される（ステップＳ１２）。そして接眼状態であればステップＳ１３に処理が進むのに対し、非接眼状態であればステップＳ２１に処理が進む。
【００４８】
ユーザがファインダ部２０に対して接眼状態であることが検知された場合、表示制御部６５が機能し、ＬＣＤ３０を消灯して（ステップＳ１３）、さらにＬＣＤ用バックライト３５を消灯する（ステップＳ１４）。このようにユーザがＥＶＦ２１を視認している場合には、ＬＣＤ３０による画像表示機能を停止させることで、デジタルカメラ１における消費電力低減を図っている。そして表示画像をＥＶＦ２１に対して出力することによってＥＶＦ２１による画像表示を実現し（ステップＳ１５）、さらにＥＶＦ用バックライト２５を所定周波数で点灯させてユーザが視認可能な明るさを実現する（ステップＳ１６）。
【００４９】
これに対し、ステップＳ１２においてユーザがファインダ部２０に対して非接眼状態であることが検知された場合には、表示制御部６５が機能し、ＥＶＦ２１を消灯して（ステップＳ２１）、さらにＥＶＦ用バックライト２５を消灯する（ステップＳ２２）。このようにユーザがＬＣＤ３０を視認していると考えられる場合（少なくともＥＶＦ２１を視認していないと判断される場合）には、ＥＶＦ２１による画像表示機能を停止させることで、デジタルカメラ１における消費電力低減を図っている。
【００５０】
そして検知機能切替部６３が再び機能し、アナログ信号処理回路７０において測光回路９０が機能するように第１及び第２のスイッチ群７１，７２を切り替える（ステップＳ２３）。この切替動作に伴って環境光の測光処理が開始され、信号評価部６４が機能することによって環境光の輝度レベルが求められる（ステップＳ２４）。
【００５１】
そして表示制御部６５は、ステップＳ２４において求められた環境光の輝度レベルに応じてＬＣＤ用バックライト３５のオンデューティを設定する（ステップＳ２５）。具体的には、環境光の輝度レベルが大きいほどオンデューティを大きく設定し、環境光の輝度レベルが小さいほどオンデューティを小さく設定する。
【００５２】
そして表示制御部６５は、表示画像をＬＣＤ３０に対して出力することによってＬＣＤ３０による画像表示を実現し（ステップＳ２６）、さらにＬＣＤ用バックライト３５をステップＳ２５で設定されたオンデューティで点灯させることにより、環境光の影響を抑制してユーザが視認しやすい画像表示を実現する（ステップＳ２７）。
【００５３】
以後、ステップＳ１０に戻って同様の処理を繰り返すことにより、デジタルカメラ１は、ユーザが画像を視認する状況に応じて画像の表示状態を適切に変化させることが可能になる。
【００５４】
以上のように本実施形態のデジタルカメラ１は、接眼状態で被写体像を視認可能にするファインダ部２０と、非接眼状態で画像を視認可能なＬＣＤ３０とを備えて構成されており、ユーザがファインダ部２０に対して接眼状態である場合に、ＬＣＤ３０を消灯して消費電力の低減を図るために接眼検知ユニット２２が設けられている。そして接眼検知ユニット２２における受光部２２ｂは、投光部２２ａによって投光される光の反射光成分、及び、環境光成分を検知するように構成されており、デジタルカメラ１は、受光部２２ｂが環境光成分を受光した場合、その環境光成分に基づいてＬＣＤ３０の表示状態を制御するように構成される。
【００５５】
したがって、特別な専用センサを設けることなく、ＬＣＤ３０における画像の表示状態を環境光に応じて良好に調整することが可能になり、コスト低減及びカメラの小型化を図ることが可能である。
【００５６】
また、接眼検知ユニット２２とＬＣＤ３０とは共にデジタルカメラ１の背面側に設けられており、デジタルカメラ１においてＬＣＤ３０が配置される面と同一面に入射する環境光を受光することが可能となっている。このため、表示画像の視認性に影響を与える環境光を良好に検出することができ、環境光の影響に対して表示画像の調整を正確に行うことが可能になる。
【００５７】
また、接眼検知ユニット２２における受光部２２ｂが環境光成分を受光した場合、デジタルカメラ１はその環境光成分の輝度レベルに応じてＬＣＤ３０の明るさを調整するため、環境光の影響によって視認性が低下することがないように適切な明るさで画像表示が行われる。
【００５８】
また、接眼検知ユニット２２における受光部２２ｂが投光部２２ａから出射する光の反射光成分を受光した場合、デジタルカメラ１はＬＣＤ３０を非表示状態に切り替えるので、消費電力の低減を行うことができる。
【００５９】
また、デジタルカメラ１のファインダ部２０は、電子画像を表示するＥＶＦ２１を備えて構成されており、接眼検知ユニット２２における受光部２２ｂが環境光成分を受光した場合、デジタルカメラ１はＥＶＦ２１を非表示状態に切り替えるので、消費電力の低減を行うことが可能である。
【００６０】
また、デジタルカメラ１においてファインダ部２０に対するユーザの接眼状態を検知する際には、投光部２２ａが所定周波数の光を発光し、受光部２２ｂにおいて所定周波数の光を受光した場合に、投光部２２ａが出射した光の反射光成分を検知するように構成されている。このため、受光部２２ｂにおいて受光する光が、反射光成分であるか、環境光成分であるかを明確に区別することができ、適切な表示制御を行うことが可能である。
【００６１】
さらに、デジタルカメラ１のファインダ部２０には、ユーザが接眼状態である場合において、環境光成分がファインダ部２０内に入射することを防ぐための環境光遮蔽フード２３が設けられているため、ユーザがファインダ部２０を覗いている状態では、表示画像の視認性に環境光が影響を与える可能性は低く、ＥＶＦ２１による画像表示において明るさ調整等を行う必要性がなくなる。
【００６２】
以上、本発明の実施の形態について説明したが、本発明は上記説明した内容のものに限定されるものではない。
【００６３】
例えば、上記説明においては、デジタルカメラ１のファインダ部２０はＥＶＦ２１を備え、ＥＶＦ２１によって電子画像を表示する場合を例示したが、これに限定されるものではなく、ファインダ部２０は光学ファインダによって構成されてもよい。また上記実施形態はデジタルカメラであるが、フィルムを使用するカメラにＬＣＤ等による画像表示手段を設けたものでもよい。
【００６４】
また、上記説明では、環境光に応じてＬＣＤ３０における表示画像の明るさ（表示輝度）を調整する場合を例示したが、それに限定されるものでもない。例えば、環境光に応じて表示画像のコントラストを調整してもよいし、鮮鋭度を調整してもよい。また、表示画像の色調整を行うようにしてもよい。その場合、表示制御部６５が表示用画像に対してそれらの画像調整処理を行うことになる。
【００６５】
また、上記説明では、接眼検知ユニット２２によって接眼状態又は非接眼状態が検知されたとき、ＥＶＦ２１及びＬＣＤ３０のいずれか一方に画像表示を切り替える場合を例示したが、接眼状態又は非接眼状態の検知結果をこれとは別の制御に適用してもよい。ただし、その場合でも、接眼検知ユニット２２の受光部２２ｂは環境光成分を受光する機能を失わないことは勿論である。
【００６６】
なお、上述した内容には、以下の発明概念が含まれる。
【００６７】
（１）請求項１乃至５のいずれかに記載のカメラにおいて、前記受光手段は、当該カメラにおいて前記画像表示手段が配置される面と同一面に設けられることを特徴とするカメラ。
【００６８】
これにより、受光手段は、画像表示手段が配置される面と同一面に入射する環境光を受光することが可能となり、表示画像の視認性に影響を与える環境光を良好に検出することができ、環境光の影響に対して表示画像の調整を正確に行うことが可能になる。
【００６９】
（２）請求項４に記載のカメラにおいて、接眼状態において、前記環境光成分が前記ファインダ内に入射することを防ぐための環境光遮蔽手段を備えるカメラ。
【００７０】
これにより、ユーザがファインダを覗いている状態では、表示画像の視認性に環境光が影響を与える可能性は低く、ＥＶＦによる画像表示において明るさ調整等を行う必要性がなくなる。
【００７１】
【発明の効果】
以上説明したように、請求項１に記載の発明によれば、ファインダに対する接眼状態を検知するための受光手段が、投光手段によって投光される光の反射光成分と環境光成分とを検知するように構成され、受光手段が環境光成分を受光した場合に、その環境光成分に基づいて画像表示手段の表示状態が制御されるようになっている。そのため、専用センサを設けることなく、画像表示手段における表示画像を環境光に応じて良好に調整することが可能になる。
【００７２】
請求項２に記載の発明によれば、受光手段が環境光成分を受光した場合、制御手段が環境光成分の輝度レベルに応じて画像表示手段の明るさを調整するので、環境光の影響によって視認性が低下することがないように適切な明るさで画像表示が行われる。
【００７３】
請求項３に記載の発明によれば、受光手段が反射光成分を受光した場合に、制御手段が画像表示手段を非表示状態にするので、消費電力の低減を行うことが可能である。
【００７４】
請求項４に記載の発明によれば、ファインダが電子画像を表示する電子ビューファインダとして構成され、制御手段は、受光手段が環境光を受光した場合、電子ビューファインダを非表示状態にするので、消費電力の低減を行うことが可能である。
【００７５】
請求項５に記載の発明によれば、制御手段は、ファインダに対する接眼状態を検知する際には、投光手段が所定周波数の光を発光するように制御し、受光手段において所定周波数の光を受光した場合に、反射光成分の受光を検知するので、受光手段において受光する光が、反射光成分であるか、環境光成分であるかを明確に区別することができ、適切な表示制御を行うことが可能である。
【図面の簡単な説明】
【図１】本発明の実施の形態にかかるデジタルカメラを背面側からみた斜視図である。
【図２】デジタルカメラの内部構成を示すブロック図である。
【図３】アナログ信号処理回路の詳細構成を示す回路図である。
【図４】ユーザがファインダ部に対して接眼状態にある場合を示す図である。
【図５】ユーザがファインダ部に対して非接眼状態にある場合を示す図である。
【図６】ユーザがＬＣＤを視認している場合を示す図である。
【図７】表示制御のための処理シーケンスを示すフローチャートである。
【符号の説明】
１  デジタルカメラ（カメラ）
２０  ファインダ部
２１  電子ビューファインダ（ＥＶＦ）
２２  接眼検知ユニット
２２ａ  投光部（投光手段）
２２ｂ  受光部（受光手段）
２２ｃ  光学フィルタ
２３  環境光遮蔽フード
２５  ＥＶＦ用バックライト
３０  液晶ディスプレイ（ＬＣＤ）
３５  ＬＣＤ用バックライト
６０  全体制御部（制御手段）
６３  検知機能切替部
６４  信号評価部
６５  表示制御部
７０  アナログ信号処理回路
【図１】
2004186721.tif 000003
【図２】
2004186721.tif 000004
【図３】
2004186721.tif 000005
【図４】
2004186721.tif 000006
【図５】
2004186721.tif 000007
【図６】
2004186721.tif 000008
【図７】
2004186721.tif 000009